【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
内部に封入された遊技媒体を用いて遊技を行なう封入式遊技機であって、
遊技に使用された遊技媒体を回収して再び遊技に使用可能な位置にまで循環させるための循環経路と、
該循環経路を循環する遊技媒体を研磨する研磨部を有する研磨ユニットを取り外し可能に保持する保持部と、
遊技媒体を前記循環経路から前記封入式遊技機の外部へ排出するように経路を切換可能な経路切換手段とを備え、
前記研磨部とスクリュー部材とにより遊技媒体を挟んだ状態で当該遊技媒体を搬送し、前記研磨ユニットを前記保持部から取り外した場合に、手動により前記研磨部を当該遊技媒体に接触していた面とは異なる新たな面が遊技媒体に接触する状態となるように変更可能である、封入式遊技機。
【請求項２】
内部に封入された遊技媒体を用いて遊技を行なう封入式遊技機の遊技枠であって、
遊技に使用された遊技媒体を回収して再び遊技に使用可能な位置にまで循環させるための循環経路と、
該循環経路を循環する遊技媒体を研磨する研磨部を有する研磨ユニットを取り外し可能に保持する保持部と、
遊技媒体を前記循環経路から前記封入式遊技機の外部へ排出するように経路を切換可能な経路切換手段とを備え、
前記研磨部とスクリュー部材とにより遊技媒体を挟んだ状態で当該遊技媒体を搬送し、前記研磨ユニットを前記保持部から取り外した場合に、手動により前記研磨部を当該遊技媒体に接触していた面とは異なる新たな面が遊技媒体に接触する状態となるように変更可能である、遊技枠。
【請求項３】
封入式遊技機の内部に封入された遊技媒体を研磨するための研磨ユニットであって、
遊技に使用された遊技媒体を回収して再び遊技に使用可能な位置にまで循環させることが可能であり、遊技媒体を前記封入式遊技機の外部へ排出するように経路を切換可能な循環経路を循環する遊技媒体を研磨する研磨部を備え、
前記研磨ユニットは、前記封入式遊技機に設けられたスクリュー部材と前記研磨部とにより遊技媒体を挟んだ状態で当該遊技媒体が搬送されるように、前記封入式遊技機に設けられた保持部に取り外し可能に保持され、
前記研磨部は、前記研磨ユニットを前記保持部から取り外した場合に、手動により当該遊技媒体に接触していた面とは異なる新たな面が遊技媒体に接触する状態となるように変更可能である、研磨ユニット。
【請求項４】
遊技に使用され、前記循環経路に回収された遊技媒体を検出する個数検出手段と、
封入された遊技媒体が超過状態にあることを検出する検出手段とを兼用する、請求項１に記載の封入式遊技機。
【請求項５】
遊技に使用され、前記循環経路に回収された遊技媒体を検出する個数検出手段と、
封入された遊技媒体が超過状態にあることを検出する検出手段とを兼用する、請求項２に記載の遊技枠。
【手続補正２】
【補正対象書類名】明細書
【補正対象項目名】０００７
【補正方法】変更
【補正の内容】
【０００７】
（１）  内部に封入された遊技媒体（パチンコ玉）を用いて遊技を行なう封入式遊技機（パチンコ機２）であって、
遊技に使用された遊技媒体を回収して再び遊技に使用可能な位置（発射位置）にまで循環させるための循環経路（図２参照）と、
該循環経路を循環する遊技媒体を研磨する研磨部（バフ本体部９１１等）を有する研磨ユニット（研磨部材９１３）を取り外し可能に保持する保持部（搬送装置１９０を構成する回転しない部材に固定された爪部９１７，９２７）と、
遊技媒体を前記循環経路から前記封入式遊技機の外部へ排出するように経路を切換可能な経路切換手段とを備え、
前記研磨部とスクリュー部材とにより遊技媒体を挟んだ状態で当該遊技媒体を搬送し、
前記研磨ユニットを前記保持部から取り外した場合に、手動により前記研磨部を当該遊技媒体に接触していた面とは異なる新たな面が遊技媒体に接触する状態となるように変更可能である。
【手続補正３】
【補正対象書類名】明細書
【補正対象項目名】０００８
【補正方法】変更
【補正の内容】
【０００８】
このような構成によれば、研磨部材が汚れたときには、保持部に保持されている研磨部材の遊技媒体に接触している面を他の新たな面に手動で変更することによりその研磨部材を継続して使用でき、研磨部材の交換作業の煩雑化を軽減することができる。
【手続補正４】
【補正対象書類名】明細書
【補正対象項目名】００１０
【補正方法】変更
【補正の内容】
【００１０】
このような構成によれば、研磨部材を一旦取外して、遊技媒体に接触していた面とは異なる新たな面が遊技媒体に接触する状態で研磨部材を保持部に保持させることにより、研磨部材の遊技媒体に接触している面を他の新たな面に変更することができ、比較的簡単な構造で研磨部材の接触面の変更が可能となる。
【手続補正５】
【補正対象書類名】明細書
【補正対象項目名】００１１
【補正方法】変更
【補正の内容】
【００１１】
（３）  上記（１）の封入式遊技機において、前記保持部は、前記研磨部材を保持した状態で一方向への回転を許容するラチェット機構を含み、前記研磨部材を一方向に回転させることにより遊技媒体へ接触する面を変更する（上方保持部９１８または下方保持部９２８の少なくとも一方にラチェット機構を採用することにより、研磨部材９１３を搬送装置１９０から取り外すことなく、研磨部材９１３を一方向に回転させることにより、玉０との接触面としての凹面９１９を切換える）ことを特徴とする。
【手続補正６】
【補正対象書類名】明細書
【補正対象項目名】００１２
【補正方法】変更
【補正の内容】
【００１２】
このような構成によれば、一方向への回転によって研磨部材の接触面の変更が可能となり、研磨部材を一旦取外す手間を省くことができる。
【手続補正７】
【補正対象書類名】明細書
【補正対象項目名】００１３
【補正方法】変更
【補正の内容】
【００１３】
（４）  上記（１）〜（３）のいずれかの封入式遊技機において、前記研磨部材の遊技媒体へ接触する面を変更する必要があるか否かを判定する変更判定手段（自動で凹面９１９を切換える場合には、研磨部材９１３の玉０へ接触する凹面９１９を切換える必要があるか否かを払出制御部１７が判定する）と、
該変更判定手段により変更する必要があるとの判定が行なわれたときに変更が必要なことを報知する変更報知手段（払出制御部１７が、切換える必要があるとの判定を行なったときに、払出制御部１７の表示制御コマンドに従って切換が必要なことを表示器５４等により報知したり、アラームなどにより切換が必要なことを報知する）とをさらに備えた。
【手続補正８】
【補正対象書類名】明細書
【補正対象項目名】００１４
【補正方法】変更
【補正の内容】
【００１４】
このような構成によれば、研磨部材の遊技媒体へ接触する面を変更する必要があるときに変更報知手段による報知が行なわれるために、遊技場側において接触面の変更の必要を把握することができる。
【手続補正９】
【補正対象書類名】明細書
【補正対象項目名】００１５
【補正方法】変更
【補正の内容】
【００１５】
（５）  上記（４）の封入式遊技機において、前記変更報知手段は、遊技者による遊技が可能な営業時間中以外のときに変更報知を行なう（切換え報知は、たとえば当該パチンコ機が設置される遊技場の営業時間中以外のときに実行する）ことを特徴とする。
【手続補正１０】
【補正対象書類名】明細書
【補正対象項目名】００１６
【補正方法】変更
【補正の内容】
【００１６】
このような構成によれば、営業時間中に変更報知を行なった場合の遊技者不快感を回避することができる。
【手続補正１１】
【補正対象書類名】明細書
【補正対象項目名】００１７
【補正方法】変更
【補正の内容】
【００１７】
（６）  上記（１）の封入式遊技機において、前記研磨部材の遊技媒体へ接触する面を変更する必要があるか否かを判定する変更判定手段（自動で凹面９１９を切換える場合には、研磨部材９１３の玉０へ接触する凹面９１９を切換える必要があるか否かを払出制御部１７が判定する）をさらに備え、
前記保持部は、前記変更判定手段により変更する必要があるとの判定が行なわれたときに、駆動源の駆動力により前記研磨部材を回転させて遊技媒体に新たな面が接触する状態に変更する自動変更手段（研磨部材９１３の玉０へ接触する凹面９１９を切換える必要があるか否かを払出制御部１７が判定し、切換える必要があるとの判定が行なわれたときに、払出制御部１７がモータを回転制御して凹面９１９の切換えを行なう）を含む。
【手続補正１２】
【補正対象書類名】明細書
【補正対象項目名】００１８
【補正方法】変更
【補正の内容】
【００１８】
このような構成によれば、自動的に変更が行なわれるため、手動による変更作業が不要となる。
【手続補正１３】
【補正対象書類名】明細書
【補正対象項目名】００１９
【補正方法】変更
【補正の内容】
【００１９】
（７）  上記（４）〜（６）のいずれかの封入式遊技機において、前記変更判定手段は、前記研磨部材の遊技媒体への接触面による研磨累積時間あるいは総研磨遊技媒体数が予め定められた所定値に達したと判定したことを条件として変更する必要があるとの判定を行なう（払出制御部１７が、搬送モータ４０の通電累積時間を記憶しその記憶から当該凹面９１９が玉０を研磨した累積時間または当該凹面９１９が玉０を研磨した累積個数を推定し、予め決めた累積時間または累積個数に達したと判定したことを条件として、切換える必要があると判定する）。
【手続補正１４】
【補正対象書類名】明細書
【補正対象項目名】００２０
【補正方法】変更
【補正の内容】
【００２０】
このような構成によれば、磨部材の遊技媒体への接触面による研磨累積時間あるいは総研磨遊技媒体数が予め定められた所定値を超えているにもかかわらず接触面の変更が行なわれない不都合を防止できる。
【手続補正１５】
【補正対象書類名】明細書
【補正対象項目名】００２１
【補正方法】変更
【補正の内容】
【００２１】
（８）  上記（４）〜（７）のいずれかの封入式遊技機において、前記研磨部材の遊技媒体へ接触している面の汚れを検出する汚れ検出手段（研磨部材９１３の汚れを検出する汚れ検出手段の一例の汚れ検出センサ等）をさらに備え、
前記変更判定手段は、前記汚れ検出手段による検出結果に基づいて変更する必要があるとの判定を行なう（汚れ検出センサの検出信号を払出制御部１７に入力し、払出制御部１７が、その検出信号に基づいて切換える必要があると判定する）。
【手続補正１６】
【補正対象書類名】明細書
【補正対象項目名】００２２
【補正方法】変更
【補正の内容】
【００２２】
このような構成によれば、研磨部材の遊技媒体へ接触している面の汚れ度合いに応じて接触面の変更を行なうことができる。
【手続補正１７】
【補正対象書類名】明細書
【補正対象項目名】００２３
【補正方法】変更
【補正の内容】
【００２３】
（９）  上記（４）〜（８）のいずれかの封入式遊技機において、前記循環経路内の遊技媒体を抜取る遊技媒体抜取り手段（玉抜きモータ９３１と排出レバー９３２：研磨部材９１３を自動回転させる場合には、自動でパチンコ機２の内部の玉をすべて抜く処理を行なう）をさらに備え、
前記変更判定手段は、前記遊技媒体抜取り手段により循環経路内の遊技媒体がすべて抜取られたことを条件として、変更する必要があるとの判定を行なう（払出制御部１７は、たとえば、玉抜き制御を開始して玉上げスイッチ（上）４１ａにより玉が検出されない状態になったことにより、全玉抜きが終了したと判定する。）。
【手続補正１８】
【補正対象書類名】明細書
【補正対象項目名】００２４
【補正方法】変更
【補正の内容】
【００２４】
このような構成によれば、循環経路内に遊技媒体が残存しているにもかかわらず接触面の変更が行なわれた場合の、循環経路外に遊技媒体がこぼれ出す虞を回避できる。
【手続補正１９】
【補正対象書類名】明細書
【補正対象項目名】００２５
【補正方法】変更
【補正の内容】
【００２５】
（１０）  本発明の他の態様は、内部に封入された遊技媒体を用いて遊技を行なう封入式遊技機の遊技枠であって、
遊技に使用された遊技媒体を回収して再び遊技に使用可能な位置にまで循環させるための循環経路と、
該循環経路を循環する遊技媒体を研磨する研磨部を有する研磨ユニットを取り外し可能に保持する保持部と、
遊技媒体を前記循環経路から前記封入式遊技機の外部へ排出するように経路を切換可能な経路切換手段とを備え、
前記研磨部とスクリュー部材とにより遊技媒体を挟んだ状態で当該遊技媒体を搬送し、
前記研磨ユニットを前記保持部から取り外した場合に、手動により前記研磨部を当該遊技媒体に接触していた面とは異なる新たな面が遊技媒体に接触する状態となるように変更可能である。
【手続補正２０】
【補正対象書類名】明細書
【補正対象項目名】００２６
【補正方法】変更
【補正の内容】
【００２６】
（１１）  本発明のさらに他の態様は、封入式遊技機の内部に封入された遊技媒体を研
磨するための研磨ユニットであって、
遊技に使用された遊技媒体を回収して再び遊技に使用可能な位置にまで循環させることが可能であり、遊技媒体を前記封入式遊技機の外部へ排出するように経路を切換可能な循環経路を循環する遊技媒体を研磨する研磨部を備え、
前記研磨ユニットは、前記封入式遊技機に設けられたスクリュー部材と前記研磨部とにより遊技媒体を挟んだ状態で当該遊技媒体が搬送されるように、前記封入式遊技機に設けられた保持部に取り外し可能に保持され、
前記研磨部は、前記研磨ユニットを前記保持部から取り外した場合に、手動により当該遊技媒体に接触していた面とは異なる新たな面が遊技媒体に接触する状態となるように変更可能である。